(57)【特許請求の範囲】
【請求項１】
建物の躯体の軒先取付部に片持ち梁が外方に向かって突設され、金属板を所定形状に組み立てて軒先部分を一体に形成した軒先枠体を有し、上記片持ち梁に上記軒先枠体を固定して上記躯体と上記軒先枠体が一体に連結されていることを特徴とする屋根構造。
【請求項２】
上記金属板はアルミ製又はステンレス製であり、上記軒先部分の垂木上面には外部に露出する化粧板が予め取り付られていることを特徴とする請求項１記載の屋根構造。
【請求項３】
上記軒先枠体には、化粧垂木、茅負、木負が設けられていることを特徴とする請求項１記載の屋根構造。
【請求項４】
金属板を所定形状に組み立てて軒先枠体を一体に形成し、上記軒先枠体を建物の躯体に突設された片持ち梁に固定して上記躯体と上記軒先枠体を連結させることを特徴とする屋根構造の施工方法。
【発明の詳細な説明】
【０００１】
【発明の属する技術分野】
この発明は、神社や仏閣その他の建築物の屋根構造とその施工方法に関する。
【０００２】
【従来の技術】
従来、例えば神社や仏閣の屋根構造は、軒先が上方に緩く湾曲して作られていた。従って、その軒先の曲線を形成するため、化粧垂木が木負を介して二列設けられ、神社や仏閣の壁部分を形成する躯体に対してそれぞれ異なる角度で取り付けられていた。また、先端に位置する化粧垂木の上には、茅負が設けられていた。そして躯体の角部付近では、軒先の湾曲が強くなるため、木負と茅負も角部に近づくと上方に向かって湾曲し、軒先の一部に唐破風が設けられている場合は、化粧垂木が所定形状に湾曲して作られていた。
【０００３】
【発明が解決しようとする課題】
上記従来の技術の場合、化粧垂木や茅負、木負等すべて木材で作られているため、強度を出すためには太くする必要があり、重くて施工が大変であった。また、施工現場での工数が多く形状も複雑で、施工には熟練を要するものであった。しかし、このような建築物はコストがかかり、近年熟練工が少なくなり、工事が困難になってくる恐れもある。
【０００４】
この発明は上記従来の技術の問題点に鑑みてなされたものであり、軽量で工程が少なく、施工が容易な屋根構造とその施工方法を提供することを目的とする。
【０００５】
【課題を解決するための手段】
この発明の屋根構造は、建物の躯体の軒先取付部にＨ鋼等の片持ち梁が外方に向かって突設され、金属板を所定形状に組み立てて軒先部分を一体に形成した軒先枠体を有し、上記片持ち梁に上記軒先枠体を固定して上記躯体と上記軒先枠体が一体に連結されている屋根構造である。上記金属板はアルミ製又はステンレス製であり、上記軒先部分の垂木上面には外部に露出する軒天板である化粧板が予め取り付られている。また、上記軒先枠体には、化粧垂木、茅負、木負が設けられている。このほかに隅木、桁、棟等が設けられてもよい。
【０００６】
またこの発明は、金属板を所定形状に組み立てて軒先枠体をほぼ完成状態にして一体に形成し、上記軒先枠体を建物の躯体に突設された片持ち梁に固定して、上記躯体と上記軒先枠体を連結させる屋根構造の施工方法である。
【０００７】
この発明の屋根構造とその施工方法は、予め工場でほぼ完成状態に組み立てた金属製の軒先枠体を、現場で建物の躯体と組み合わせて、溶接やボルトナットにより一体に固定して軒先部分を作る乾式工法である。
【０００８】
【発明の実施の形態】
以下、この発明の実施形態について図面に基づいて説明する。図１において、鉄筋コンクリート製や鉄骨構造の建物の躯体１０に、軒先部分を形成する金属製の軒先枠体１２が取り付けられている。
【０００９】
軒先枠体１２は、躯体１０の壁面１１に対して所定の角度で位置する第一化粧垂木１４が、複数本互いに平行に外方に突出して設けられている。そして第一化粧垂木１４の先端付近の上面に、第一化粧垂木１４に対してほぼ直角に化粧木負１６が一体的に設けられている。そして、化粧木負１６には、外側面から複数本の第二化粧垂木２０が一体的に外方に突設されている。各第二化粧垂木２０は、各第一化粧垂木１４の上方に一致して取り付けられ、各第二化粧垂木２０は、各第一化粧垂木１４に対して、水平方向にほぼ平行で、垂直方向は第二化粧垂木２０の先端がわずかに第一化粧垂木１４よりも上方に向いている。そして、第二化粧垂木２０の先端付近には、第二化粧垂木２０の上面に、第二化粧垂木２０に対してほぼ直角に、化粧茅負２２が設けられている。軒先枠体１２の第一、第二化粧垂木１４，２０の上面側には、金属製の化粧板である軒天板３０が一体に固定されている。
【００１０】
建物の躯体１０には、その外方に向かって水平方向やや下方に向けてＨ鋼の片持ち梁２４の基端部が固定されている。片持ち梁２４の突出方向先端部２４ａは、第二化粧垂木２０が位置する空間を確保するため、垂直方向の幅が狭く形成されている。この片持ち梁２４には、連結材２６が溶接され、連結材２６の下端部は、軒先枠体１２の上面に固定された連結材２８に溶接されて、軒先枠体１２が片持ち梁２４に一体に保持固定されている。
【００１１】
この軒先枠体１２の各部材は、アルミ板、ステンレス鋼板等の金属板を所定長さに切断し折り曲げて中空状に形成し、各部材を互いにボルトとナットで固定したり、溶接して作られている。そして外部に露出する表面は、アクリル樹脂焼付処理やフッ素加工等が施されている。
【００１２】
また、軒先枠体１２の上部には、横架材３２を介して屋根下地材３４が敷設され、この屋根下地材３４の上面に瓦３６が並べられている。
【００１３】
軒先枠体１２は、建物の部位に合わせてそれぞれの軒先の形に形成されている。例えば、図２に示すように、隅木４０を中心とする角部分４２も一体に構成されている。
【００１４】
次に、この実施形態の屋根構造の施工方法について説明する。まず、建物設計図に基づいて、工作図を作成し、軒先枠体１２の製造についてアルミ板やステンレス鋼板等の板材の切断、孔明、曲げ等の加工指示を詳細に示し、建物寸法との違いがないようにする。
【００１５】
工作図に基づき、専用機械及び治具を使用し相対位置を確認して正確に曲げ加工等を行う。加工は、例えば板材に、切断、切欠、孔明、折り曲げを行い、断面形状がコ字形やロ字形の長尺部材を形成する。なお、表面に有害な傷を生じないように十分注意をする。板材の切断は、シャーリングを用いて工作図指示寸法通り正確に切断する。板材の切欠や孔明は、タレットパンチを用いて正確に加工を行う。板材の折り曲げは、ベンダーにより行う。
【００１６】
板材により作られた長尺部材を互いに溶接またはボルトナット止めして、所定形状の軒先枠体１２を一体に製造する。溶接は、アルゴンアーク溶接等にて行う。専用器具を使用し、ピンホール、クラック等に十分注意し、強度、歪、雨仕舞に影響しないように注意する。そして化粧垂木１４，２０、化粧木負１６、化粧茅負２２が一体として形成された軒先枠体１２を、指定された色調に塗装する。
【００１７】
この後、塗装された軒先枠体１２にさらに、別の色に塗装された金属製の軒天板３０をビス止めして、躯体１０に取付前の状態の軒先枠体１２が出来上がる。
【００１８】
次に、この軒先枠体１２の現場での据え付けについて説明する。まず、建物の躯体１０に片持ち梁２４を一体に設ける。そして、躯体１０の軒先を取り付ける場所に、足場等を組んで軒先枠体１２を設置し、軒先枠体１２の連結部材２８と片持ち梁２４とを、連結部材２６を介して溶接する。なお、連結部材２８は予め軒先枠体１２に固定されていても良いが、現場で取付位置を確認して軒先枠体１２に固定しても良い。このとき鼻先の出を基準墨によってセットし、所定の位置に据え付ける。またコーナー部のソリに十分注意し固定する。さらに、隣接する軒先枠体１２を連接させ、互いに溶接等して一体化する。
【００１９】
この実施形態の屋根構造とその施工方法によれば、構造と施工方法が簡単で、熟練を必要とせず短時間で施工することができる。特に、軒先枠体１２には、現場でのコンクリートの打設や塗装が不要であり、施工期間が短く工法も容易なものである。さらに、軒先枠体１２は軽量なので運搬や施工が容易である。また金属製なので、木材製と比較してコストダウンが可能で品質が均一化され、任意の長さの部材を高品質に形成することができる。
【００２０】
なお、この発明の屋根構造とその施工方法は、上記実施形態に限定されるものではなく、軒先枠体と片持ち梁との連結は、連結部材としてボルトとナットを用いても良く、他のかしめや係合等の連結方法を用いても良い。特に、全工程をボルトナットやかしめにより固定する場合、溶接よりもさらに施工が簡易なものとなる。また、神社や仏閣に限らず種種の建築物や御神輿にも使用可能であり、軒先枠体の形状や大きさも、自由に設計することができる。
【００２１】
【発明の効果】
この発明の屋根構造とその施工方法によれば、乾式工法により安全に短期間で施工する事ができる。軒先枠体は金属製で、任意の形状にすることができ、また工場で軒先枠体を組み立てるので品質が安定しているとともに、現場での施工に従来の木造建築のような特殊な技能を必要とせず、正確に確実に取り付けることができる。
【図面の簡単な説明】
【図１】この発明の一実施形態の屋根構造の縦断面図である。
【図２】この実施形態の屋根構造の軒先枠体の斜視図である。
【符号の説明】
１０  躯体
１２  軒先枠体
１４  第一化粧垂木
１６  化粧木負
２０  第二化粧垂木
２２  化粧茅負
２４  片持ち梁
２６，２８  連結部材
３０  軒天板
【図１】
0004298929.tif 000002
【図２】
0004298929.tif 000003